(57)【特許請求の範囲】
【請求項１】
個々に結束された横シールド対撚線データケーブルであって、絶縁された対撚線ケーブルと、金属テープ、非金属ベースおよび前記ベースの片面に金属の層を有する第一の複合テープ、非金属ベースおよび前記ベースの両面に金属の層を有する第二の複合テープからなる部類から選択されるシールドテープを具備し、前記シールドテープは個々の前記対撚線ケーブルに少なくとも１０％の重なりを有して横にラッピングされており(being laterally wrapped)、前記シールドテープに織繊維(fabric)又は金属のバインダーが巻きつけられて結束された横シールド対撚線ケーブルを供給しており、前記シールドテープは０．３３乃至２．００ミルの金属厚さを有し、前記シールドテープおよびバインダーは、シールドされる対撚線ケーブルの空気のほぼ全量を除去し且つその断面的区域の２５％未満の断面的ボイド区域を残存させる張力で前記対撚線に巻き付けられて前記結束された横シールド対撚線データケーブルを供給しており、前記結束された横シールド対撚線データケーブルは、５０乃至２００オームの平均インピーダンス近くで標準偏差を計算した時、２０℃に調整した値で４．５以下の標準インピーダンス偏差を有することを特徴とする個々に結束された横シールド対撚線データケーブル。
【請求項２】
前記ケーブルは１０００MHzまでの定格を有しており、前記標準偏差は３２８ｆｔ以上の長さのケーブルにより１．０から１０００MHzまで少なくとも３５０の周波数測定を行って測定され、９０乃至１１０オームの平均インピーダンス近くで計算されていることを特徴とする請求項１のケーブル。
【請求項３】
前記ケーブルは６００MHzまでの定格を有しており、前記インピーダンス偏差は３２８ｆｔ以上の長さのケーブルにより１．０から６００MHｚまで少なくとも３５０の周波数測定を行って測定され、前記標準インピーダンス偏差は３．５以下であって、９０乃至１１０オームの平均インピーダンス近くで計算されていることを特徴とする請求項１のケーブル。
【請求項４】
前記断面的ボイド区域は１８％未満であり、前記シールドテープは０．７５乃至１．２５ミルの金属厚さを有することを特徴とする請求項２のケーブル。
【請求項５】
前記断面的ボイド区域は１８％未満であり、前記シールドテープは０．７５乃至１．２５ミルの金属厚さを有することを特徴とする請求項３のケーブル。
【請求項６】
少なくとも４対の前記個々に結束された横シールド対撚線ケーブルと、前記少なくとも４対の結束された横シールド対撚線ケーブルを取囲んで高性能データケーブルを供給する防食層とを更に具備し、前記高性能データケーブルは３２８ｆｔ以上の長さに基く２０℃に調整した値の平均標準インピーダンス偏差が４．５以下であり、前記平均標準インピーダンス偏差は前記少なくとも４対の結束された横シールド対撚線ケーブルの各々について測定された標準インピーダンス偏差の平均であり、標準インピーダンス偏差は、前記少なくとも４対の結束された横シールド対撚線ケーブルの各々について少なくとも３５０の周波数測定を行って、５０乃至２００オームの平均インピーダンス近くで計算されていることを特徴とする請求項１のケーブル。
【請求項７】
前記高性能データケーブルは定格が少なくとも６００MHzまでであり、前記少なくとも４対の結束された横シールド対撚線ケーブルは、各々１８％未満の断面的ボイド区域を有しており、前記高性能データケーブルは、３２８フィート以上の長さの高性能データケーブルに基く２０℃に調整した値の平均標準インピーダンス偏差が３．５以下であり、標準インピーダンス偏差は、前記少なくとも４対の結束された横シールド対撚線ケーブルの各々について１．０から６００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであることを特徴とする請求項６のケーブル。
【請求項８】
高性能データケーブルは定格が少なくとも１０００MHzまでであり、前記少なくとも４対の結束された横シールド対撚線ケーブルは各々１８％未満の断面的ボイド区域を有しており、前記高性能データケーブルは３２８フィート以上の長さの高性能データケーブルに基く２０℃に調整した値の平均標準インピーダンス偏差が４．５以下であり、標準インピーダンス偏差は、前記少なくとも４対の結束された横シールド対撚線ケーブルの各々について１．０から１０００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであることを特徴とする請求項６のケーブル。
【請求項９】
耐温度(temperature-resistant)難燃性セパレータテープが前記少なくとも４対の結束された横シールド対撚線ケーブルを取巻いて前記防食層とケーブル心線との間に存在しており、前記防食層は非フッ素系のポリオレフィンであることを特徴とする請求項６のケーブル。
【請求項１０】
前記高性能データケーブルは定格が少なくとも６００MHzまでであり、前記少なくとも４対の結束された横シールド対撚線ケーブルは各々１８％未満の断面的ボイド区域を有しており、前記高性能データケーブルは、３２８フィート以上の長さの高性能データケーブルに基く２０℃に調整した値の平均標準インピーダンス偏差が３．５以下であり、標準インピーダンス偏差は前記少なくとも４対の結束された横シールド対撚線ケーブルの各々について１．０から６００MHzまで少なくとも３５０の周波数測定を行って、９０乃至１１０オームの平均インピーダンス近くで計算されており、且つ個々の標準インピーダンス偏差はいずれも前記平均インピーダンスから６以下の大きさであり、耐温度難燃性セパレータテープが前記少なくとも４対の結束された横シールド対撚線ケーブルを取巻いて前記防食層とケーブル心線との間に存在しており、前記防食層は非フッ素処理ポリオレフィンであることを特徴とする請求項６のケーブル。
【請求項１１】
前記高性能データケーブルは定格が少なくとも１０００MHzまでであり、前記少なくとも４対の結束された横シールド対撚線ケーブルは各々１８％未満の断面的ボイド区域を有しており、前記高性能データケーブルは３２８フィート以上の長さの高性能データケーブルに基く２０℃に調整した値の平均標準インピーダンス偏差が４．５以下であり、標準インピーダンス偏差は前記少なくとも４対の結束された横シールド対撚線ケーブルの各々について１．０から１０００MHzまで少なくとも３５０の周波数測定を行って９０乃至１１０オームの平均インピーダンス近くで計算されており、且つ個々の標準インピーダンス偏差はいずれも前記平均インピーダンスから６以下の大きさであり、耐温度難燃性セパレータテープが前記少なくとも４対の結束された横シールド対撚線ケーブルを取巻いて前記防食層とケーブル心線との間に存在しており、前記防食層は非フッ素系のポリオレフィンであることを特徴とする請求項６のケーブル。
【請求項１２】
少なくとも4対の結束された横シールド対撚線ケーブルを提供するように各対撚線ケーブルが横にシールドされて結束された少なくとも4対の対撚線ケーブルを含むケーブル心線と、前記少なくとも４対の結束された横シールド対撚線ケーブルを取巻いて防食層とケーブル心線との間に存在する耐温度難燃性セパレータテープとを含み、前記防食層が非フッ素処理ポリオレフィンであるUL９１０プレナム（ｐｌｅｎｕｍ）高性能データケーブルであって、前記セパレータテープは、シールドされる対撚線ケーブルの空気のほぼ全量を除去し且つその断面的区域の２５％未満の断面的ボイド区域を残存させる張力で前記対撚線に巻き付けられて前記結束された横シールド対撚線ケーブルを供給しており、前記結束された横シールド対撚線ケーブルは、５０乃至２００オームの平均インピーダンス近くで標準偏差を計算した時、２０℃に調整した値で４．５以下の標準インピーダンス偏差を有することを特徴とするUL９１０プレナム（ｐｌｅｎｕｍ）高性能データケーブル。
【請求項１３】
前記ケーブルは少なくとも定格が少なくとも６００MHzまでであり、前記高性能データケーブルは３２８フィート以上の長さの高性能データケーブルに基く２０℃に調整した値の平均標準インピーダンス偏差が３．５以下であり、標準インピーダンス偏差は、前記少なくとも４対のケーブルの各々について１．０から６００MHzまで少なくとも３５０の周波数測定を行って測定され、９０乃至１１０オームの平均インピーダンス近くで計算されており、且つ個々の標準インピーダンス偏差がいずれも前記平均インピーダンスから６以下の大きさであることを特徴とする請求項１２のケーブル。
【請求項１４】
前記ケーブルは定格が少なくとも１０００MHzまでであり、前記高性能データケーブルは３２８フィート以上の長さの高性能データケーブルに基く２０℃に調整した値の平均標準インピーダンス偏差が４．５以下であり、標準インピーダンス偏差は、前記少なくとも４対のケーブルの各々について１．０から１０００MHzまで少なくとも３５０の周波数測定を行って測定され、９０乃至１１０オームの平均インピーダンス近くで計算されており、且つ個々の標準インピーダンス偏差がいずれも前記平均インピーダンスから６以下の大きさであることを特徴とする請求項１２のケーブル。
【請求項１５】
個々に結束された横対撚線データケーブルの製作方法であって、 発泡又は非発泡フルオロ共重合体およびポリオレフィンからなる部類から選択される絶縁を有する対撚線ケーブルを供給し、前記対撚線ケーブルを金属シールドテープで横にラッピングして、少なくとも１０％の前記シールドテープの重なりを有する横シールド対撚線ケーブルを供給し、この場合前記シールドテープは０．３３乃至２．００ミルの金属厚さを有し、且つ前記シールドテープは金属テープ、非金属ベースおよび前記ベースの片面に金属の層を有する第一の複合テープ、非金属ベースおよび前記ベースの両面に金属の層を有する第二の複合テープからなる部類から選択され、前記横シールド対撚線ケーブルに織繊維又は金属のバインダーを巻きつけて結束された横シールド対撚線ケーブルを供給し、 標準インピーダンス偏差を３２８フィート以上の長さのケーブルで少なくとも３５０の周波数測定を行って測定し、標準インピーダンスを５０乃至２００オームの平均インピーダンス近くで計算した時、前記結束された横シールド対撚線ケーブルに４．５、あるいはそれ以下の２０℃における標準インピーダンス偏差を付与する張力で金属シールドテープおよびバインダーを横に巻きつけることを特徴とする個々に結束された横対撚線データケーブルの製作方法。
【請求項１６】
前記シールドテープは０．７５乃至１．２５ミルの金属厚さを有し、前記断面的ボイド区域が１８％未満となるように対撚線ケーブルに巻きつけて結束し、前記ケーブルは６００MHzまでの定格を有し、前記少なくとも３５０の周波数測定は１．０から６００MHzまで行なわれ、前記標準偏差は３．５以下であって、９０乃至１１０オームの平均インピーダンス近くで計算され、且つ個々の偏差はいずれも前記平均インピーダンスから６以下の大きさであることを特徴とする請求項１５の方法。
【請求項１７】
前記シールドテープは０．７５乃至１．２５ミルの金属厚さを有し、前記断面的ボイド区域が１８％未満となるように対撚線ケーブルに巻きつけて結束し、前記ケーブルは１０００MHzまでの定格を有し、前記少なくとも３５０の周波数測定は１．０から１０００MHzまで行われ、前記標準偏差は４．５以下であって、９０乃至１１０オームの平均インピーダンス近くで計算され、且つ個々の偏差はいずれも前記平均インピーダンスから６以下の大きさであることを特徴とする請求項１５の方法。
【請求項１８】
少なくとも４対の前記結束された横シールド対撚線ケーブルを結束し、少なくとも４対の個々に結束された横シールド対撚線を結束したケーブルの上に防食層を押出して高性能データケーブルを供給し、前記少なくとも４対の個々に結束された横シールド対撚線ケーブルを選択して、６００MHzまでの定格の３２８フィート以上の長さの高性能データケーブルの時、前記高性能データケーブルに３．５、あるいはそれ以下の平均標準インピーダンス偏差を付与し、この場合の標準インピーダンス偏差は前記少なくとも４対の結束された横シールド対撚線ケーブルの各々について少なくとも３５０の周波数測定を行って測定し、９０乃至１１０オームの平均インピーダンス近くを選んで計算し、且つ前記平均標準インピーダンス偏差は前記少なくとも４対の結束された横シールド対撚線ケーブルの全部について測定される前記標準インピーダンス偏差の平均であることを更なる特徴とする請求項１５の方法。
【請求項１９】
少なくとも４対の前記個々に結束された横シールド対撚線ケーブルを結束し、 この少なくとも４対の結束された横シールド対撚線を結束したケーブルの上に防食層を押出して高性能データケーブルを供給し、前記少なくとも４対の結束された横シールド対撚線ケーブルを選択して、１０００MHzまでの定格の３２８フィート以上の長さの高性能データケーブルの時、前記高性能データケーブルに４．５、あるいはそれ以下の平均標準インピーダンス偏差を付与し、この場合の標準インピーダンス偏差は前記少なくとも４対の結束された横シールド対撚線ケーブルの各々について少なくとも３５０の周波数測定を行って測定し、９０乃至１１０オームの平均インピーダンス近くを選んで計算し、且つ前記平均標準インピーダンス偏差は前記少なくとも４対の結束された横シールド対撚線ケーブルの全部について測定した前記標準インピーダンス偏差の平均であることを更なる特徴とする請求項１５の方法。
【請求項２０】
防食層を押出す前に、耐温度難燃性セパレータテープを少なくとも４対の結束された横シールド対撚線ケーブルに、耐温度難燃性セパレータテープが前記防食層とケーブル心線との間に存在するように巻回し、前記防食層は非フッ素処理ポリオレフィンであることを更なる特徴とする請求項１８の方法。
【請求項２１】
防食層を押出す前に、前記耐温度難燃性テープを前記少なくとも４対の結束された横シールド対撚線ケーブルに、この耐温度難燃性セパレータテープの包囲(surroundings)が前記防食層とケーブル心線との間に存在するように巻回し、 前記防食層は非フッ素処理ポリオレフィンであることを更なる特徴とする請求項１９の方法。
【発明の詳細な説明】
【０００１】
【産業上の利用分野】
本発明は０．３MHｚ乃至１２００MHｚの周波数範囲、特に１．０乃至６００MHｚおよび／あるいは１．０乃至１０００MHｚの範囲における伝送を十分可能にする高性能データケーブルに関する。又、非フッ素系防食層(non-fluorinated  jacket)を有するUL９１０高性能プレナムケーブル(plenum  cables)に関する。更に詳しくは、本発明は締付け−縦沿えシールド(bound-lateral  shielded)対撚線ケーブルである高性能データケーブルに関する。又、更に詳しくは非フッ素系防食層および防食層の内周に耐熱難燃性テープを有する少なくともカテゴリー５のUL９１０プレナムヶーブルに関する。
【０００２】
【発明の背景】
現行の高性能データケーブルは、シールドとして、通常１ミルのポリエステル（マイラー）の裏張りを有する重くて堅い２ミルのアルミニウムテープを利用している。シールドは、未シールドの各対撚線小群（twisted  pair  subgroup）にケーブル全体のケーブル撚り目の長さ(the  length  of  cables  overall  cable  lay)に等しい適用撚り長さ、代表的には４．０乃至６．０インチの撚り長さの範囲内で巻回される。テープ幅は約０．５インチである。ケーブル全体の長い撚り目（５インチ）に基ずくので巻きつけの適用角度が浅く、テープが対撚線の横軸と殆ど平行になる。代表的なケーブルは４対の対撚線ケーブルを有するもので、上記４対の上に施される４０乃至６５％錫をめっきした銅の編組と、編組の施された対上に押出されてケーブルを仕上げる最終の熱可塑性防食層とを有する。金属シールドテープの適用角度が浅いため、ケーブル撚合わせ作業中バインダーとしてらせん状に施されるドレンワイヤがテープを捕縛する以前にテープが開く(open  up)という問題が生じる。
【０００３】
又、上記テープは一般にテープ下層の対の輪郭に追従しない。このプロセスのせいで、未シールドの対撚線心線の周囲にテープの隙間(gap)が生じ、CENELEC  pr  EN  50288-4-1等の電気的条件の業界基準に合致する十分に安定な基平面（ground  plane）を得ることができない。
【０００４】
上述した既知のケーブル構造は静止状態において機械的に堅固でなく、又ケーブルが曲げられた際にたった一つの全体的な編組でテープの重なり合った部分が “花”開きしないことを十分に確実にすることはできないので、設置状態で電気的に不安定である(electricals  are  unstable)。この“開花”はNEXTを増加させ、更に基平面がひっくり返されるとインピーダンス／ＲＬ性能を失わせる。これが減衰量の不均斉(attenuation  non-uniformity)を増加させる。曲げ状態では基平面並びに導体の中心から中心の間隔が変化するのでインピーダンスの数量（impedance  numbers）はより一層悪い。帯域幅の条件が高くなればなるほどこれらの問題はますます悪化する。
【０００５】
発明者等は非フッ素系防食層を有する高性能のUL９１０プレナムデータケーブルに関するケーブル構造を全く知見したことがない。フッ素系防食層およびNomex&#9415;（DuPont社が製造の耐熱難燃性ナイロン）等の耐熱難燃性セパレータテープを使用したプレナムケーブルは、Belden  Wire  ＆  Cable  Companyが本発明より１年以上前に使用し販売している。それらのケーブル中のNomex&#9415;テープは、UL９１０の燃焼試験(burn  test)において、フッ素系(FEP)防食層が滴下し高ピーク値の煙量(high peak smoke numbers)が発生するのを防止した。
【０００６】
【発明の要約】
本発明は各対撚線ケーブル上に、織繊維(fabric)又は金属のバインダーで締付けた縦沿えシールドテープ(a  lateral  wrapped  shield  tape)を使用して、要求されるインピーダンス／ＲＬ、減衰量均斉(attenuation  uniformity)および容量不平衡(capacitance  unbalance)を得る。
【０００７】
本発明はシールド対撚線ケーブルで普通に見られる閉塞される空気(trapped  air)の殆どを除去する。この除去は好ましくは最少１０％の重なりを有し且つ０，３３乃至２．０ミル、好ましくは1ミルの金属層を有する縦沿えシールドを使用することによって為される。縦沿えシールドを適切なバインダ−、好ましくは繊維又は金属の編組あるいはらせん状に巻回する繊維の糸(textile  helically  wrapped  thread)により結合して、インピーダンス制御の向上した良好な遮蔽を供給する。要望によりEMI／Rfi分離の改善のため、シールド側方の継ぎ目に沿って短い襞(fold)を施すことができる。ケーブルの全長に実現される不変の基平面はRL反射および容量不平衡を低減して、減衰量均斉を向上させると共に容量不平衡をより良いものにする。
【０００８】
本発明は又、曲げ状態で堅固な幾何学的安定を与える。少なくとも１０％の重なりを有する緊密な縦沿えシールド(lateral  shield)と繊維(textile)又は金属のバインダーを使用することにより、曲げ状態でのテープの隙間および開花を除去する。これにより不利な使用条件の下でも非常に安定した水準の物理的および電気的性能が確立される。第３図に（ｄ）と表示した本発明の対撚線ケーブルの中心から中心の間隔及び導体から接地の間隔は従前のケーブルのそれより遥かに安定したものとなる。
【０００９】
本発明のケーブルはカテゴリー７以上の高性能ケーブルとして使用するのが特に有益である。特に、本発明のシールドを縦沿えして締付けし(laterally  shield  and  bind)  且つ６００MHｚ又は１０００MHｚまで使用するケーブルがこれに当てはまる。本発明により製造される場合の代表的な高性能データケーブルは、各対撚線が２本の発泡又は非発泡絶縁（フルオロ共重合体又はポリオレフィン）の単線からなる四（４）対の対撚線ケーブルを有する。対撚線ケーブルは各々独特で堅固な縦沿えの金属シールドテープを有しており、これは各対撚線ケーブルにテープを巻きつけ、側方の襞の短い継ぎ目(short  fold  seam)を織繊維又は金属の編組あるいはらせん糸(helical  thread)等の緊張したバインダーを用いて適所に保持したものである。バインダーとして編組を用いる場合は４０乃至９５％編組である。糸を用いる場合はらせん上に巻くのが好ましい。締付け−縦沿えシールドの対はSZ撚り又は遊星集合されて(are  S-Z’d  or  planetary  together)集合すなわち結束された構成になる。結束された対を全体的な４０乃至９５％の編組又は糸によって結束してもよい。結束された対撚線ケーブル上に最終的な熱可塑性防食層（フルオロ共重合体又はポリオレフィン又はポリ塩化ビニル）が押し出される。
【００１０】
一般に、金属シールドは、アルミニウムテープあるいは襞(fold)の短いBELDFOILテープ（これはプラスチック支持フィルムの片面に金属箔又は金属被覆を施したシールドである）、又はDUOFOILテープ（これはプラスチック支持フィルムの両面に金属箔又は金属被覆を施したシールドである）又は自由縁のBELDFOILテープ等の複合テープである。金属全部の厚さは０．３３乃至２．０ミルのアルミニウム層の厚さであり、好適には約１．０ミルである。アルミニウムを例にしたが、銅、銅合金、銀、ニッケル等のように斯様な金属テープおよび複合金属テープに普通に使用される適切な金属であればどれでも使用することができる。各対撚線には金属を外向きにして巻きつけられる。最も好ましい巻きつけは約２５％の重なりを有するものであるが、実際問題として重なりは１０から５０％まで変化して良い。最良の減衰特性およびインピーダンス特性が得られる好適なシールドは、接合して短絡効果（shorting  effect）の得られる類のテープである。しかしながら、好適な重なりを用いればこの短い襞は除去できる。
【００１１】
高性能データケーブルにおけるシールド対撚線の数は一般的に４乃至８対であるが、要望により更に多対にできる。縦沿えシールドおよびバインダーの張力は、巻きつけるシールドおよぼバインダーが空気の殆どを除去し、締付け−縦沿えシールド対撚線ケーブルの場合は標準インピーダンス偏差、複数の縦沿えシールド対撚線を有する高性能データケーブルの場合は平均標準インピーダンス偏差を与えるような張力である。シールドテープおよびバインダに賦課される張力は、ケーブルの端から端の如何なる箇所から選んでも、縦沿えシールド対撚線の断面的区域全体の僅かに２５％以下、好ましくは１８％以下のボイド空間が存在するような張力である。
【００１２】
本発明は未シールドの対撚線ケーブルに縦沿えされるシールド、および同時又はその後に縦沿えシールドに巻回されてシールドを締付ける織繊維又は金属の編組あるいは紡ぎ糸(yarn)を有する高性能対撚線データケーブルを提供する。シールドおよびバインダー（編組又は糸）の巻きつけは、単独で使用することのできる個々の対撚線に関して、個々の対が公称すなわち標準インピーダンス偏差−定格が６００MHｚまでの各締め付け−縦沿えシールド対撚線ケーブルの場合、標準インピーダンス偏差が１．０から６００MHｚまで３．５以下で且つ単一のインピーダンス偏差がいずれも６．０より大でなく、定格が１０００MHｚまでのケーブルの場合、標準インピーダンス偏差が１．０から１０００MHｚまで４．５以下で且つ単一のインピーダンス偏差がいずれも６．０より大でない−をもつ特定されない(unfitted)インピーダンスを有するような張力で行われる。複数の締付け−縦沿えシールド対撚線ケーブルを有する定格が６００MHｚまでの高性能データケーブルは、複数の締付け−縦沿えシールド対撚線の全部の平均標準インピーダンス偏差が１．０から６００MHｚまで３．５以下で且つどのケーブルの標準インピーダンス偏差も６．０以下の大きさである。複数の締付け−縦沿えシールド対撚線ケーブルを有する定格が１０００MHｚまでの高性能データケーブルは、複数の締付け−縦沿えシールド対撚線の全部の平均標準インピーダンス偏差が１．０から１０００MHｚまで４．５以下で且つどのケーブルの標準インピーダンス偏差も６．０以下の大きさである。標準インピーダンス偏差は５０乃至２００オームの平均値である平均インピーダンス近くで、３２８ｆｔ以上の長さのケーブルで少なくとも３５０の周波数測定を行って計算される。
【００１３】
又、本発明はUL９１０高性能データプレナムケーブルに分類できる高性能データケーブルを提供する。このケーブルは、好ましくは非フッ素系防食層および防食層の直下にあって防食層と接触している耐熱難燃性セパレータテープを有する。
【００１４】
本発明のその他の利点は図面を用いた下記の説明を読むことにより更に明瞭になろう。
【００１５】
【実施態様の詳細な説明】
図１は１対の導体１２および１３を有する対撚線ケーブル１０を示す。導体は銅の単線からなる導体が好ましいが高性能データケーブルに好適な如何なる導体でも良い。導体１２および１３は各々その上に発泡又は非発泡フルオロ共重合体又は適切なポリオレフィンの絶縁１４および１５を押出してある。
【００１６】
図２は金属シールド１６を堅く巻きつけた図１の対撚線を示す。金属シールドは金属テープ、あるいはポリエステル（すなわちMYLAR）等の非金属ベースの片面又は両面にケーブルの遮蔽で普通に使用されている金属を有する複合テープ等の適切なシールドとすることができる。テープおよび複合テープの金属はアルミニウム、銅、銅合金、ニッケル、銀等である。金属全部の厚さは０．３３乃至２．０ミル、好ましくは１．０ミルである。シールドは襞（fold）の短いBELDFOILタイプのテープ、又はテープの両面に金属を有するDUOFOILタイプのテープ等である。
【００１７】
テープ１６は図３に示すように、絶縁１４および１５を押し潰さないで同図に示す断面的区域の２５％未満の小さなボイド空間１７を与えるように十分な圧力をもって縦沿えされる (laterally  wrapped)。ボイド空間は図３に示す断面的区域の１８％未満が好ましい。堅く巻きつけたテープ１６は対撚線１０の外形と同形になって縦沿えシールドされた対撚線ケーブル１０Aを供給する。テープ１６は僅かな重なりを有し、又任意に設ける短い襞(fold)を有して巻きつけてある。前述のようにアルミニウムすなわち金属の好ましい厚さは１ミルである。テープ幅は最小１０％の重なりを与えるに十分なものとする。
【００１８】
図４Aおよび４Bに示すように、シールド対撚線ケーブル１０A（図３）はバインダー１８又は１８’により確りと結合されて締付け−シールドケーブル１０Bおよび１０Cを供給する。テープとバインダーの巻きつけ時の張力は、未シールド対撚線１０の輪郭に一致してほぼ長円形の断面形状を与えるに十分な緊張(tight)を有するが、絶縁１４および１５を変形させるほど堅く締めたものではない。縦沿え及び締め付けは、締め付けられるシールド対撚線ケーブル１０Bおよび１０C内の空気の殆ど全部を除去するような張力で為され、その結果ケーブル全長のどの箇所もボイド１７を有する堅固な長円形の断面になる。このきつい巻きつけにより上述の標準インピーダンス偏差および平均標準インピーダンス偏差が得られる。
【００１９】
絶縁は厚さ０．０１０乃至０．０６０インチ、好ましくは０．０１５乃至０．０２０インチの発泡フルオロ共重合体が好適である。個々の導体１２および１３は一般に２０乃至３０AWGで、好ましくは２２乃至２４AWGである。
【００２０】
導体は単線又は撚線を使用できるが単線が好ましい。4対の対撚線ケーブル１０の全部の撚り目の長さ(lay  length)が同一でも異なっていてもよく、Ｚ撚りおよび／あるいはＳ撚りでよい。撚り目は０．３−２．０インチが好適である。ケーブル全体の撚り目は一般にケーブルの平均心線径の１０乃至２０倍である。
【００２１】
バインダー１８は織繊維（すなわちアラミド）又は好ましくは４５−９５％編組の金属編組である。金属は４５−６５％錫をめっきした銅編組が好ましいが、カテゴリー７のデータケーブル等の高性能ケーブルに適切と思われるどのような種類の金属、すなわち銅、銅合金、ブロンズ（合金元素がニッケル又は亜鉛以外の銅合金）、銀等を使用することができる。
【００２２】
バインダー１８’はらせん状に巻回されて４０−９５％の結束を与える織繊維糸（アラミド）である。好ましくは１／４インチのらせん状撚り目を有するアラミドの７６０デイニール糸を使用する。
【００２３】
図５を参照すると、締付けたシールドケーブル１０B又は１０Cはその上に押し出しによる防食層１９を有して本発明の高性能データケーブル２０を供給している。防食層はカテゴリー７のケーブルの条件を満たすと思われる適切なケーブル防食層材料−難燃性ポリエチレン、ポリ塩化ビニル、フルオロ共重合体等の熱可塑性材料を使用することができる。
【００２４】
図６は４対の編祖−シールド対撚線ケーブル１０Bを含むケーブル２０を示す。任意で設ける地線２１が複数のケーブル１０B間に存在する。地線２１は勿論防食層の直下等の適切な位置に置くことおよび／あるいは４対の編組−シールドケーブル１０Bを結束するために使用することができる。
【００２５】
図７は４対の糸締付け−シールド対撚線ケーブル１０Cを含むケーブル２５を示す。４対の糸締付け−シールド対撚線ケーブル１０Cは、金属又は織繊維の編組２２が更に巻かれて結束されている。編組２２は一般に上述した編組１８と同じ種類のものである。任意に設ける地線２１が複数のケーブル１０C間に存在する。上記と同様に、地線２１は勿論防食層の直下等の適切な位置に置くことおよび／あるいは４対の糸締付け−シールドケーブル１０Cを結束するために使用することができる。
【００２６】
図８は防食層２６、防食層の下層にらせん状に又は横方向に巻回したセパレータテープ２７を有するケーブル３０を示す。セパレータテープ２７は４対の糸締付け−シールド対撚線ケーブル１０Cとそれらを締付ける編組２２を取巻いている。防食層２６はポリ塩化ビニル等の非フッ素系防食層である。セパレータテープ２７はNomex&#9415;等の耐熱難燃性のセパレータテープである。このケーブルの構成は、このケーブルがセパレータテープ２７を有し且つフッ素系防食層を有さないこと以外は図７のケーブルと同様である。要望により、複数のこれら非金属編組のシールド対撚線ケーブルを地線２１により結束すなわち巻回することができる。結束された対撚線ケーブルは、その後その上にセパレータテープが配置され、更にその上に防食層２６が押出されている。
【００２７】
下記の例１−７に示すように、高性能の編組された縦沿えシールド対撚線ケーブルは、定格が６００MHｚまでのケーブルの場合、１．０から６００MHｚまで少なくとも３５０の測定を行った時の標準インピーダンス偏差が３．５以下であり、定格が１０００MHｚまでのケーブルの場合、１．０から１０００MHｚまで少なくとも３５０の測定を行った時の標準インピーダンス偏差が４．５以下である不特定(unfitted)のインピーダンスを有する。この複数の編組−シールド対撚線ケーブルを含む高性能データケーブルは、複数の編組−シールド対撚線の全部の平均標準インピーダンス偏差が１．０から６００MHｚまで３．５以下、１．０−１０００MHｚで４．５以下であり、且つ個々の標準インピーダンス偏差はいずれも６．０以下の大きさである。“例”の試験は全てCENELECで要求されるインピーダンス試験であり、シールドを縦沿えして対撚線ケーブル１０Aとした３２８ｆｔの長さの締付け−シールド対撚線ケーブルで行った。縦沿えシールドは１ミルの厚さのアルミニウムを有するBELDFOILテープである。テープは僅かな重なりをもたせて縦沿えした。縦沿えしたテープを金属編組で締付けた。測定は０．３MHｚで開始し、“例”１および８の場合は約１から６００MHｚまで、“例”２−７の場合は約１から１０００MHｚまで少なくとも三百五十（３５０）の測定を行った。ケーブル導体１２および１３は２２AWGの銅の単線であり、絶縁１４および１５はFEPであった。種々の温度で測定して２０°Cに調整した。全部のケーブルが１８％未満のボイド１７を有しており、試験はほぼ１００オームの平均値インピーダンス近くで行った。
【００２８】
（例１）３２８ｆｔの長さの上記編組−シールド対撚線ケーブル１０Bを２３．３°Cで試験した。ケーブルのインピーダンスを０．３から６００MHまで隈なく測定し、１．０から６００MHｚの間で少なくとも３５０の測定を行った。編組−シールド対撚線ケーブルを試験し平均値インピーダンスの９５．２６１９近くで標準インピーダンス偏差１．７７１４を得た。
【００２９】
（例２）３２８ｆｔの長さの上記編組−シールド対撚線ケーブル１０Bを２３．３°Cで試験した。ケーブルのインピーダンスを０．３から１０００MHまで隈なく測定し、１．０から１０００MHｚの間で少なくとも３５０の測定を行った。編組−シールド対撚線ケーブルを試験し平均値インピーダンスの９４．３１７８近くで標準インピーダンス偏差２．８５６５を得た。
【００３０】
（例３）４対の編組−シールド対撚線ケーブル１０Bを有する３２８ｆｔの長さの上記高性能データケーブル２０を２３．９°Cで試験した。４対の編組−シールド対撚線ケーブルの各々のインピーダンスを０．３から１０００MHまで隈なく測定した。１．０から１０００MHｚの間で少なくとも３５０の測定を行った。下記のデータは２０°Cに調整された。
【００３１】
第１の編組−シールド対撚線ケーブルは、平均値インピーダンスの１００．５３２１近くで標準インピーダンス偏差が４．２７４４であった。
【００３２】
第２の編組−シールド対撚線ケーブルは、平均値インピーダンスの１０１．４４１６近くで標準インピーダンス偏差が５．１６３０であった。
【００３３】
第３の編組−シールド対撚線ケーブルは、平均値インピーダンスの１０１．４５８３近くで標準インピーダンス偏差が４．０４６９であった。
【００３４】
第４の編組―シールド対撚線ケーブルは、平均値インピーダンスの１００．７５０６近くで標準インピーダンス偏差が４．３３６０であった。
【００３５】
本例の高性能ケーブル２０は、平均標準インピーダンス偏差が４．４５５１（（４．２７４４＋５．１６３０＋４．０４６９＋４．３３６０）／４）であった。
【００３６】
（例４）４対の編組−シールド対撚線ケーブル１０Bを有する３２８ｆｔの長さの上記高性能データケーブル２０を２３．９°Cで試験した。４対の編組シールド対撚線ケーブルの各々のインピーダンスを０．３から１０００MHまで隈なく測定した。１．０から１０００MHｚの間で少なくとも３５０の測定を行った。下記のデータは２０°Cに調整された。
【００３７】
第１の編組−シールド対撚線ケーブルは、平均値インピーダンスの１０１．１７８３近くで標準インピーダンス偏差が４．０４３０であった。
【００３８】
第２の編組−シールド対撚線ケーブルは、平均値インピーダンスの１０１．３０８６近くで標準インピーダンス偏差が４．００２７であった。
【００３９】
第３の編組−シールド対撚線ケーブルは、平均値インピーダンスの１０１．７７１６近くで標準インピーダンス偏差が３．６０３８であった。
【００４０】
第４の編組−シールド対撚線ケーブルは、平均値インピーダンスの１０１．３５９８近くで標準インピーダンス偏差が４．００９２であった。
【００４１】
本例の高性能ケーブル２０は、平均標準インピーダンス偏差が３．９１４７（（４．０４３０＋４．００２７＋３．６０３８＋４．００９２）／４）であった。
【００４２】
（例５）４対の編組シールド対撚線ケーブル１０Bを有する３２８ｆｔの長さの上記高性能データケーブル２０を２３．９°Cで試験した。４対の編組シールド対撚線ケーブルの各々のインピーダンスを０．３から１０００MHまで隈なく測定した。１．０から１０００MHｚの間で少なくとも３５０の測定を行った。下記のデータは２０°Cに調整された。
【００４３】
第１の編組−シールド対撚線ケーブルは、平均値インピーダンスの１９９．２０３５近くで標準インピーダンス偏差が３．２４６９であった。
【００４４】
第２の編組−シールド対撚線ケーブルは、平均値インピーダンス１００．９５９６の近くで標準インピーダンス偏差が４．２０７０であった。
【００４５】
第３の編組−シールド対撚線ケーブルは、平均値インピーダンスの１０２．８２１４近くで標準インピーダンス偏差が３．４６９０であった。
【００４６】
第４の編組−シールド対撚線ケーブルは、平均値インピーダンスの１０１．２３３８近くで標準インピーダンス偏差が３．８９９０であった。
【００４７】
本例の高性能ケーブル２０は、平均標準インピーダンス偏差が３．７０５５（（３．２４６９＋４．２０７０＋３．４６９０＋３．８９９０）／４）であった。
【００４８】
（例６）４対の編組−シールド対撚線ケーブル１０Bを有する３２８ｆｔの長さの上記高性能データケーブル２０を２４．２°Cで試験した。４対の編組−シールド対撚線ケーブルの各々のインピーダンスを０．３から１０００MHまで隈なく測定した。１．０から１０００MHｚの間で少なくとも３５０の測定を行った。下記のデータは２０°Cに調整された。
【００４９】
第１の編組−シールド対撚線ケーブルは、平均値インピーダンスの１０１．４４２３近くで標準インピーダンス偏差が４．０４８８であった。
【００５０】
第２の編組−シールド対撚線ケーブルは、平均値インピーダンスの１００．９４９８近くで標準インピーダンス偏差が４．２０８１であった。
【００５１】
第３の編組−シールド対撚線ケーブルは、平均値インピーダンスの１０２．０１２１近くで標準インピーダンス偏差が４．５５６７であった。
【００５２】
第４の編組−シールド対撚線ケーブルは、平均値インピーダンスの１０２．９５３１近くで標準インピーダンス偏差が３．６４０８であった。
【００５３】
本例の高性能ケーブル２０は、平均標準インピーダンス偏差が４．１１３６（（４．０４８８＋４．２０８１＋４．５５６７＋３．６４０８）／４）であった。
【００５４】
（例７）４対の編組シールド対撚線ケーブル１０Bを有する３２８ｆｔの長さの上記高性能データケーブル２０を２４．２°Cで試験した。４対の編組−シールド対撚線ケーブルの各々のインピーダンスを０．３から１０００MHまで隈なく測定した。１．０から１０００MHｚの間で少なくとも３５０の測定を行った。下記のデータは２０°Cに調整された。
【００５５】
第１の編組−シールド対撚線ケーブルは、平均値インピーダンスの１０２．０７７６近くで標準インピーダンス偏差が３．６９３９であった。
【００５６】
第２の編組−シールド対撚線ケーブルは、平均値インピーダンスの１００．４６１４近くで標準インピーダンス偏差が３．８６５８であった。
【００５７】
第３の編組−シールド対撚線ケーブルは、平均値インピーダンスの９９．７８０８近くで標準インピーダンス偏差が３．５２０８であった。
【００５８】
第４の編組−シールド対撚線ケーブルは、平均値インピーダンスの１００．０５９４近くで標準インピーダンス偏差が３．９８３５であった。
【００５９】
本例の高性能ケーブル２０は、平均標準インピーダンス偏差が３．７６６０（（３．６９３９＋３．８６５８＋３．５２０８＋３．９８３５）／４）であった。
【００６０】
（例８）４対の編組−シールド対撚線ケーブル１０Bを有する３２８ｆｔの長さの上記高性能データケーブル２０を２４．４°Cで試験した。４対の編組−シールド対撚線ケーブルの各々のインピーダンスを０．３から６００MHまで隈なく測定した。１．０から６００MHｚの間で少なくとも３５０の測定を行った。下記のデータは２０°Cに調整された。
【００６１】
第１の編組−シールド対撚線ケーブルは、平均値インピーダンスの１０２．２９７１近くで標準インピーダンス偏差が３．５６２１であった。
【００６２】
第２の編組−シールド対撚線ケーブルは、平均値インピーダンスの１０３．９４８４近くで標準インピーダンス偏差が３．９１８５であった。
【００６３】
第３の編組−シールド対撚線ケーブルは、平均値インピーダンスの１０３．２５１９近くで標準インピーダンス偏差が２．６９４３であった。
【００６４】
第４の編組−シールド対撚線ケーブルは平均値インピーダンスの１０２．９６２５近くで標準インピーダンス偏差が２．５２０６であった。
【００６５】
本例の高性能ケーブル２０は、平均標準インピーダンス偏差が３．１７３９（（３．５６２１＋３．９１８５＋２．６９４３＋２．５２０６）／４）であった。
【００６６】
（例９）図８のケーブル２本についてUL９１０の試験を行った。各ケーブルは４対の糸締付け−シールド対撚線ケーブル１０Cを有する。ケーブルシールドは各々幅が０．６２５インチのアルミニウム2ミル／ポリエステル０．５ミルのテープであった。各々のシールド１６をアラミド７６０糸で締付けた。４対の糸締付け−シールドケーブルに４０％錫をめっきした銅編組を巻きつけた。４対の結束された編組ケーブルに１．２５０インチ幅の2ミルのNomexセパレータテープを巻回した。セパレータテープ(separated  tape)上には押出しによるポリ塩化ビニルの防食層が存在する。ケーブルは両方ともUL９１０プレナム試験を通過した。UL９１０プレナム試験中に、第１のケーブルは１．５フィートの炎−最高時で０．３２、平均で０．０９P/F−を記録した。第２のケーブルは１．５フィートの炎−最高時で０．２９、平均で０．０９P/F−を記録した。ケーブルは両方とも１０００MHｚまでの定格を有するカテゴリー７のケーブルに評価されると思われる。
【００６７】
UL９１０プレナムの少なくともカテゴリー５の高性能データケーブルに関する本発明について、UL９１０の試験をカテゴリー７のケーブルである図８のケーブルで行ったが、本発明がこの特定のケーブルの構成に限定されると見なされるべきではなく、ポリ塩化ビニル防食層等の非フッ素系防食層を使用し、防食層とケーブル心線との間に耐熱難燃性セパレータテープの存在するカテゴリー５以上の高級ケーブルは如何なるものも当然対象となる。例えば、本発明は本発明と相互関係のある未決定の出願(co-pending  application)  に開示した構造の６００MHzまでの定格を有するUL９１０プレナム高性能データケーブル−緊密に巻回したらせん状シールドの対撚線ケーブルで、ポリ塩化ビニル防食層等の非フッ素系防食層および防食層とケーブル心線間に耐熱難燃性セパレータテープを使用している−を提供する。本発明のUL９１０プレナムの少なくともカテゴリー５の高性能データケーブルは、上記したケーブルのみに限定されるものではなく、非フッ素系防食層を有し且つ防食層とケーブル心線の間に耐熱難燃性セパレータテープを有するUL９１０プレナムの少なくともカテゴリー５の高性能データケーブルの全てが対象になる。
【００６８】
ここに記述した実施態様は実例として教示されているものであり、本発明はここに記述した実施態様に狭義に限定されるものではない。当業者が添付の請求範囲に規定される本発明の範囲又は精神にもとることなく種々の変更および修正を実施し得ることは認識されるであろう。
【図面の簡単な説明】
【図１】本発明に使用される対撚線ケーブルの斜視図。
【図２】本発明による縦沿えシールド対撚線ケーブルの斜視図。
【図３】図２の線３−３に沿った拡大断面図。
【図４】A  本発明による編組縦沿えシールド対撚線ケーブルの拡大断面図。
B  本発明による糸締付け縦沿えシールド対撚線ケーブルの拡大断面図。
【図５】４対の図４Aのケーブルを含むケーブルの断面図。
【図６】図５のケーブルの斜視図。
【図７】４対の図４Bのケーブルを含むケーブルの斜視図。
【図８】本発明のプレナムUL９１０高性能データケーブルの一例を示す斜視図。
【図１】
0003725823.tif 000002
【図２】
0003725823.tif 000003
【図３】
0003725823.tif 000004
【図４】
0003725823.tif 000005
【図５】
0003725823.tif 000006
【図６】
0003725823.tif 000007
【図７】
0003725823.tif 000008
【図８】
0003725823.tif 000009